(57)【要約】【課題】被加熱物を急速加熱でき、且つ調理室内の清掃が容易で熱損失の少ない加熱調理器を提供する。【解決手段】調理品を収納する箱状の調理室（１０）と、ヒータ式熱源（１２）とブロア（１５）を有する熱風生成装置（１８）と、を備え、熱風生成装置で発生させた熱風を調理室の天井板（３３）に設けたノズル孔（３７）から高速噴流にして調理品（３８）に衝突させると共に、衝突後の熱風を調理室の左右の側壁下部に設けた吸い込み口（４２、４３）からブロアにて吸い込み熱風生成装置に戻して循環させる。【選択図】図４
2007064530.tif 000002
【特許請求の範囲】
【請求項１】
調理品（３８）を収納する箱状の調理室（１０）と、ヒータ式熱源（１２）とブロア（１５）を有する熱風生成装置（１８）と、を備え、
前記熱風生成装置で発生させた熱風を前記調理室の天井板（３３）に設けたノズル孔（３７）から高速噴流にして調理品に衝突させると共に、衝突後の熱風を前記調理室の左右の側壁下部に設けた吸い込み口（４２、４３）から前記ブロアにて吸い込み、前記熱風生成装置に戻して循環させるようにしたことを特徴とする熱風循環式の加熱調理器。
【請求項２】
請求項１に記載の加熱調理器において、前記調理室の底板（５０）と前記天井板との間に前記調理品を載置する棚板（４０）を取り付け、該棚板には上下面を貫く複数の穴（４１）を設け、前記吸い込み口は該棚板より下の位置に設けたことを特徴とする加熱調理器。
【請求項３】
請求項１又は２に記載の加熱調理器において、前記吸い込み口から吸い込んだ熱風を前記熱風生成装置に戻す熱風帰還ダクト（２０、２１）を、ダクトの一面を前記調理室の側壁を共用して前記左右の側壁の外側に設けたことを特徴とする加熱調理器。
【請求項４】
請求項１又は２に記載の加熱調理器において、前記熱風生成装置を構成する前記ヒータ式熱源は周囲に放熱フィン（５５）を有する複数個のＵ字形状のヒータを前記ブロアの吹き出す風の方向に等間隔で、且つ、奇数本目のヒータと偶数本目のヒータの位置を前記風の方向と直角方向に前記放熱フィンの外径寸法だけずらすと共に前記風の方向に見たとき隣り合うヒータの放熱フィンの外周が重なって見える角度に各ヒータを傾けて配置したことを特徴とする加熱調理器。
【請求項５】
請求項１又は２に記載の加熱調理器において、前記天井板に設けたノズル孔は複数個とし、それらノズル孔と調理品との間隔を２つのノズル孔から噴出させた高速噴流が調理品の表面付近にて結合してあたかも一つのノズル孔から噴出させた噴流とみなせる間隔に設定したことを特徴とする加熱調理器。
【請求項６】
請求項２に記載の加熱調理器において、前記棚板を金属材料で構成したことを特徴とする加熱調理器。
【請求項７】
請求項２に記載の加熱調理器において、前記調理室の底板（５０）の一部又は全部を誘電体の仕切り板（５１）にて構成し、該仕切り板を通して下方よりマイクロ波を調理室内に照射するように構成したことを特徴とする加熱調理器。
【請求項８】
請求項７に記載の加熱調理器において、前記調理室の天井板に設けたノズル孔は複数個とし、その孔形状は直径が前記マイクロ波の波長の１／６の円に納まる円形又は多角形とし、それらを中心間距離で前記マイクロ波の波長の２／６以上離して配列したことを特徴とする加熱調理器。
【請求項９】
請求項７に記載の加熱調理器において、前記棚板を金属材料で構成し、該棚板には直径が前記マイクロ波の波長の１／１．７以上である円形の穴、又は長手方向の寸法が前記マイクロ波の波長の１／２を超える矩形の穴を複数個設けたことを特徴とする加熱調理器。
【請求項１０】
請求項７に記載の加熱調理器において、前記調理室の左右の側壁下部に設けた吸い込み口のそれぞれに口を開閉するシャッタ（７３、７４）を取り付けると共に、それらシャッタを個別に開閉制御する手段を設けたことを特徴とする加熱調理器。
【発明の詳細な説明】
【技術分野】
【０００１】
本発明は、加熱調理器に関し、特に高速の熱風を被加熱物に衝突させて熱伝達を行なう噴流衝突熱伝達技術を応用した加熱調理器に関する。
【背景技術】
【０００２】
従来、調理品の解凍から焼き上げまでの調理は、マイクロ波加熱により調理品を内部から加熱すると同時に上下方向からもヒータの輻射熱を当てて焼き上げる方法、あるいは調理室後部に配置したヒータにて発生させた熱風をファンを使って調理室内に循環させ調理室内全体を高温にして調理する方法などで行なわれてきた。
【０００３】
ところで、コンビニエンスストアなどではお客が買い求めた冷凍食品を６０〜９０秒の短時間で解凍から焼き上げまでして提供するサービスが行なわれている。上記の従来の調理方法ではそのような短時間で調理を行なうことは困難であることから、そうした調理を必要とする場合には予熱などにより調理室内を常に高温にしておくなどの対策が講じられている。しかし、調理室内を常に高温にしておくことは熱効率面で問題がある。
【０００４】
近年、調理品に高温熱風の噴流を衝突させ、熱風の持つ熱エネルギーを効率良く調理品に伝達する「衝突噴流熱伝達技術」を応用して解凍から焼き上げまでを短時間で調理する技術が開発され実用化が進んでいる。
【０００５】
例えば、特許文献１にはこの衝突噴流熱伝達技術を応用した迅速調理用オーブンが提案されている。このオーブンは調理室の上部から噴出させた熱風を調理品に吹き当てて熱風の持つ熱エネルギーで加熱し、吹き当て後の熱風は調理室下部から熱源に帰還させて再循環させる。それと並行してマイクロ波加熱により調理品を内部からも加熱して迅速調理を行なうものである。
【０００６】
しかしこのオーブンは調理室内部の構造が複雑である上、熱風循環路が長いため熱損失が大きい。また、調理品から出る水分などの液状物質や調理品の小片が熱風循環路に入った場合に清掃が難しいという問題を持つ。
【０００７】
また、特許文献２には調理室内部の部品を取り外せるようにして清掃を容易にした衝突熱伝導加熱処理装置が提案されている。しかし、この装置は部品の取り外しが面倒である上、熱風源を調理室背面に配置して熱風の吹き出しを上面、下面の双方から行なうようにしているため熱源に近い場所の温度が高くなって加熱むらを生じる。また、調理室の熱風を吸い込む熱風吸い込み口を背面に設けているため加熱に寄与しない熱風が吸い込まれて効率が悪いという問題がある。
【特許文献１】特表平６−５１０８４９号公報
【特許文献２】特開平７−１０８２６３４号公報
【発明の開示】
【発明が解決しようとする課題】
【０００８】
本発明はこのような従来技術の問題点を解決するためになされたもので、その課題は、噴流衝突熱伝達技術を応用して被加熱物を急速加熱でき、且つ調理室内の清掃を容易に行なえ熱損失も少ない加熱調理器を提供することにある。
【課題を解決するための手段】
【０００９】
前記課題を解決するための請求項１に記載の発明は、調理品（３８）を収納する箱状の調理室（１０）と、ヒータ式熱源（１２）とブロア（１５）を有する熱風生成装置（１８）と、を備え、前記熱風生成装置で発生させた熱風を前記調理室の天井板（３３）に設けたノズル孔（３７）から高速噴流にして調理品に衝突させると共に、衝突後の熱風を前記調理室の左右の側壁下部に設けた吸い込み口（４２、４３）から前記ブロアにて吸い込み、前記熱風生成装置に戻して循環させるようにしたことを特徴とする。
【００１０】
このような構成の加熱調理器は高温の熱風を高速噴流にして調理品に衝突させて加熱するため、高い熱伝達率で急速調理を行なうことができる。また、熱風は調理室の天井板に設けたノズル孔から噴射して左右の側壁下部から吸引する構造とし、調理室の底板にはノズル孔、吸引口等の構成部品を何ら設けていないため調理室内の清掃を容易に行なうことができる。
【００１１】
また、請求項２に記載の発明は、請求項１に記載の加熱調理器において、前記調理室の底板（５０）と前記天井板との間に前記調理品を載置する棚板（４０）を取り付け、該棚板には上下面を貫く複数の穴（４１）を設け、前記吸い込み口は該棚板より下の位置に設けたことを特徴とする。
【００１２】
このような棚板を設けてその上に調理品を載置すれば、棚板が下側からも加熱されて高温となる。このため調理品は下側からも加熱されることになり調理品をより高速に加熱することができる。
【００１３】
また、請求項３に記載の発明は、請求項１又は２に記載の加熱調理器において、前記吸い込み口から吸い込んだ熱風を前記熱風生成装置に戻す熱風帰還ダクト（２０、２１）を、ダクトの一面を前記調理室の側壁を共用して前記左右の側壁の外側に設けたことを特徴とする。
【００１４】
このような構成にすれば調理室からの熱のリークを防止できる。また、帰還する熱風の持つ熱エネルギーは調理室の側壁を加熱するため加熱室内の温度を効率良く高めることができる。
【００１５】
また、請求項４に記載の発明は、請求項１又は２に記載の加熱調理器において、前記熱風生成装置を構成する前記ヒータ式熱源は周囲に放熱フィン（５５）を有する複数個のＵ字形状のヒータを前記ブロアの吹き出す風の方向に等間隔で、且つ、奇数本目のヒータと偶数本目のヒータの位置を前記風の方向と直角方向に前記放熱フィンの外径寸法だけずらすと共に前記風の方向に見たとき隣り合うヒータの放熱フィンの外周が重なって見える角度に各ヒータを傾けて配置したことを特徴とする。
【００１６】
このような構成とすれば、放熱フィンと熱交換を行なうことなく通過する熱風の量を少なくすることができ、また熱風の圧力損失もさほど大きくならないため循環熱風とヒータとの熱交換を効率的に行なわせることができる。
【００１７】
また、請求項５に記載の発明は、請求項１又は２に記載の加熱調理器において、前記天井板に設けたノズル孔は複数個とし、それらノズル孔と調理品との間隔を２つのノズル孔から噴出させた高速噴流が調理品の表面付近にて結合してあたかも一つのノズル孔から噴出させた噴流とみなせる間隔に設定したことを特徴とする。
【００１８】
このような構成とすれば、調理品に衝突して熱エネルギーを減少させた熱風がノズル孔方向に戻りノズル孔から新たに噴出された熱風と混ざってその温度を低下させることが少なくなる。従って、熱風から調理品への全体としての熱伝達率を高めることができる。
【００１９】
また、請求項６に記載の発明は、請求項２に記載の加熱調理器において、前記棚板を金属材料で構成したことを特徴とする。
金属材料は熱伝導性が高いため棚板を金属材料とすれば棚板はより高温となる。このため調理品を下面側からより迅速に加熱することができる。
【００２０】
また、請求項７に記載の発明は、請求項２に記載の加熱調理器において、前記調理室の底板（５０）の一部又は全部を誘電体の仕切り板（５１）にて構成し、該仕切り板を通して下方よりマイクロ波を調理室内に照射するように構成したことを特徴とする。
このような構成によれば調理品はマイクロ波を吸収して内部からも加熱されるため、調理品をより急速に加熱することができる。
【００２１】
また、請求項８に記載の発明は、請求項７に記載の加熱調理器において、前記調理室の天井板に設けたノズル孔は複数個とし、その孔形状は直径が前記マイクロ波の波長の１／６の円に納まる円形又は多角形とし、それらを中心間距離で前記マイクロ波の波長の２／６以上離して配列したことを特徴とする。
【００２２】
天井板に設けるノズル孔の形状と配置をこのように構成すれば、ノズル孔を通って天井板の下面側から上面側に抜けるマイクロ波を大幅に減衰されることができる。
【００２３】
また、請求項９に記載の発明は、請求項７に記載の加熱調理器において、前記棚板を金属材料で構成し、該棚板には直径が前記マイクロ波の波長の１／１．７以上である円形の穴、又は長手方向の寸法が前記マイクロ波の波長の１／２を超える矩形の穴を複数個設けたことを特徴とする。
【００２４】
棚板に設ける穴の形状とその寸法をこのようにしておけば、棚板が金属材料で製作されていてもマイクロ波は棚板の下面側から上面側に抜けることができる。従って、棚板に載置した調理品を内部から加熱することができる。
【００２５】
また、請求項１０に記載の発明は、請求項７に記載の加熱調理器において、前記調理室の左右の側壁下部に設けた吸い込み口のそれぞれに口を開閉するシャッタ（７３、７４）を取り付けると共に、それらシャッタを個別に開閉制御する手段を設けたことを特徴とする。
このようなシャッタを設けて加熱調理中に交互に開閉すれば、調理品下面の焼き上げ温度を高くすることができる。
【発明を実施するための最良の形態】
【００２６】
以下、本発明に係る加熱調理器の一実施形態について図面を参照して説明する。図１はその加熱調理器１の外観を斜視図で示したものである。加熱調理器１の外郭としてのキャビネット２には、前面に前方に回動して開く扉３が取り付けられている。扉３の上部は操作パネル５となっており、加熱条件を設定する操作スイッチ６、設定内容や調理の経過状況を表示する表示器７が取り付けられている。
【００２７】
図２は、キャビネット２と扉３を取り外して背面斜め上方から内部を見た斜視図である。図３は同じ状態を前方斜め下から見た斜視図である。キャビネット２内の中央部には、扉３側が開口した箱状の調理室１０が下枠１１の上に据えつけられている。調理室１０は後述する底板部分を除きマイクロ波を遮断する導電性材料で構成されている。
【００２８】
調理室１０の上には第１の熱源（ヒータ式熱源）であるヒータ１２を収納する熱源ボックス１４が取り付けられ、その後方には熱源ボックス１４に循環熱風を送り込むブロア１５が、その上にはブロア１５を駆動するブロアモータ１６が取り付けられている。ヒータ１２、熱源ボックス１４、ブロア１５、ブロアモータ１６とにより熱風生成装置１８が構成されている。
【００２９】
調理室１０の扉３側から見た右側壁の外側には調理室１０を通過した熱風を熱風生成装置１８に帰還させるための熱風帰還ダクト右２０が、左側壁の外側には同じ目的の熱風帰還ダクト左２１が設けられている。調理室１０の背面外側の上部でブロア１５の下側には、熱風帰還ダクト右２０と熱風帰還ダクト左２１を通過した熱風を合流させてブロア１５に帰還させる熱風帰還合流ダクト２２が取り付けられている。
【００３０】
調理室１０の背面外側で熱風帰還合流ダクト２２の下側には、第２の熱源であるマイクロ波発生装置２４と制御装置２６を収納する制御箱２７が配設されている。調理室１０の下側にはマイクロ波発生装置２４で発生したマイクロ波を調理室１０の底板裏の中央付近に導く導波管２８が取り付けられている。
【００３１】
図４、図５は加熱調理器１内の熱風の流れを模式図で表わしたもので、図４は正面から見た断面内の流れを、図５は右側壁から見た断面内の流れを示す。ブロア１５によって起こされた循環風は調理室１０上部に取り付けられた熱源ボックス１４内に水平に吹き込まれる。熱源ボックス１４内には第１の熱源であるＵ字状ヒータ１２が吹き込まれた循環風の流れと同じ水平方向に複数個並べて取り付けられている。循環風はそれらヒータ１２と熱交換して熱風となる。
【００３２】
ヒータ１２が取り付けられた部分の下側には、循環風の流れをヒータ１２の並び方向に規制するための仕切り板３０が取り付けられている。仕切り板３０の下側で熱源ボックス１４の下面に当たる部分は開口３１となっている。図６は熱源ボックス１４を下側から見た斜視図である。熱源ボックス１４は開口３１の周縁に設けたフランジ３２を利用して調理室１０の天井板３３に固定されている。熱源ボックス１４が固定された状態では、調理室１０の天井板３３と仕切り板３０との間に循環風を通す空間３５が形成される。ヒータ１２と熱交換を終えた循環風は循環熱風となって仕切り板３０の下の空間３５に回り込む。
【００３３】
調理室１０の天井板３３には、循環熱風を調理室１０内に噴射する複数のノズル孔３７が設けられている。ブロア１５により起こされる循環風は風圧の強い流れであり、仕切り板３０の下に回り込んだ循環熱風はノズル孔３７から高速噴流となって調理室１０内に噴射される。
【００３４】
調理室１０内には、空間の下寄り部分に調理品３８を載置する棚板４０が水平に取り付けてある。ノズル孔３７から噴射された高速噴流の熱風は調理品３８に衝突し、保有する熱エネルギーを与えて調理品３８を加熱する。調理品に熱風を吹き当てて加熱する場合、吹き当てる風を高速にすると熱伝達率が大きく向上することが噴流衝突熱伝達技術として知られている。本実施形態の加熱調理器１はこの噴流衝突熱伝達技術を応用している。
【００３５】
棚板４０には表裏を貫く穴４１が多数設けられている。調理品３８に衝突した熱風はその穴４１を通って棚板４０の下側空間に流れ込む。調理室１０の右側壁には棚板４０の取り付け位置より下部分に熱風吸い込み口右４２が、左側壁の対応する位置には熱風吸い込み口左４３が設けられている。棚板４０の下側空間に流れ込んだ循環熱風は、それらの吸い込み口４２、４３を通り調理室１０の左右側壁の外側に設けられた左右の熱風帰還ダクト２０、２１に流れ込む。熱風帰還ダクト右２０及び熱風帰還ダクト左２１の調理室１０側の外板は調理室１０の左右側壁を構成する外板と共通になっている。即ち、調理室１０の左右側壁を構成する外板は、調理室１０内と左右の熱風帰還ダクト２０、２１とを仕切る仕切り板の役割を果たしている。
【００３６】
熱風帰還ダクト右２０及び熱風帰還ダクト左２１は共にブロア１５の下側に取り付けられている熱風帰還合流ダクト２２に連通している。左右の熱風帰還ダクト２０、２１に流れ込んだ循環熱風はそれらのダクト内を上昇して熱風帰還合流ダクト２２内に流れ込み合流する。熱風帰還合流ダクト２２はブロア１５に連通しており、合流した循環熱風はブロア１５内に吸い込まれる。そして、再びブロア１５によって加速され、風圧を増して熱源ボックス１４内に吹き込まれる。
【００３７】
熱風はブロア１５によって流速を増し、このような流路を繰り返し循環する。その過程で熱風はヒータ１２と接触して熱エネルギーを獲得し、調理品３８と衝突した際にその熱エネルギーを調理品３８に与える。これにより調理品３８は表面から加熱される。
【００３８】
本実施形態の加熱調理器１は、調理品を循環熱風により表面から加熱することに加えマイクロ波加熱を併用して内部からも加熱する。マイクロ波は調理室１０の背面外側下部に配置されたマイクロ波発生装置２４で発生させられ、調理室１０の下側に取り付けた導波管２８を通って調理室１０の底板裏の中央付近に導かれる（図５参照）。調理室１０の底板５０はマイクロ波を通し易いセラミックス、ガラス等の誘電体材料で製作されている。底板５０の下面側にはモータ５２により回転駆動される回転アンテナ５３が取り付けられている。マイクロ波は回転アンテナ５３により反射攪拌され底板５０を透過する。こうして調理室１０内にはマイクロ波が広くむらなく照射される。調理品３８はそのマイクロ波を吸収して内部からも加熱される。
【００３９】
次に、熱源ボックス１４内のヒータ１２の構成について説明する。図７は、熱源ボックス１４の外板の一部を取り外してヒータ１２の配置状況を分かり易くした斜視図である。個々のヒータ１２は図８に示すように、Ｕ字形状に形成されたシースヒータ５６の周囲に循環熱風との熱交換を良くするための円板状の放熱フィン５５を多数装着した構成となっている。シースヒータ５６の両端にはヒータ端子５７が取り付けてある。
【００４０】
熱源ボックス１４内にはこのヒータ１２がブロア１５から吹き出された循環熱風の流れ方向である水平方向に６本が等間隔に並べて取り付けてある。６本のヒータ１２は１本置きにそのヒータ端子５７が循環熱風の進行方向に対して左右反対側に位置するように互い違いに取り付けてある（図７参照）。こうすることで進行方向の左右両端側で同じような熱交換が行なわれるようにしている。
【００４１】
また、６本のヒータ１２は循環熱風の進行方向に対してＵ字面（Ｕ字形状のシースヒータ５６を含む面）を傾けると共に１本置きに上下方向に位置をずらして千鳥配列されている。図９はこの取り付けの様子を説明する断面図である。即ち、奇数本目のヒータと偶数本目のヒータの位置を循環熱風の進行方向と直角方向に前記放熱フィン５５の外径寸法ｄだけずらしている。更に、全てのヒータ１２をそのＵ字面が循環熱風の進行方向に対して角度θをなすように傾けて取り付け、その角度θは循環熱風の進入方向に見たとき隣り合うヒータの放熱フィン５５の外周が重なって見えるような角度にしてある。
【００４２】
その角度θは、放熱フィン５５の外径寸法をｄ、ヒータ１２のＵ字形状部の放熱フィン５５間の間隔をｋとすると次の関係式から計算される。
ｄ＝ｋ・sinθ
６本のヒータ１２をこのように取り付けると、循環熱風の進入方向からヒータ１２の並び方向を見た場合に隣り合うヒータの放熱フィン５５の外周が重なって見える状態となる。その状態では放熱フィン５５と熱交換を行なわないで通過する熱風の量は極小化される。また、熱風の圧力損失もさほど大きくならないため循環熱風と６本のヒータ１２との熱交換を効率的に行なわせることができる。なお、６本のヒータ１２の発熱量は電気抵抗値の調整により熱源ボックス１４の入口側から出口側に向けて小さくなるようにし、下流側ヒータの過熱を防止している。
【００４３】
次に、循環熱風を調理室１０内に噴射するために調理室１０の天井板３３に設けた複数のノズル孔３７の構成について説明する。図１０はノズル孔３７の形状及び配列の一例を示したものである。この例ではノズル孔３７の断面形状を直径Ｂの円形としている。配列は千鳥格子状で、図の横方向に等しいピッチＳで設けた１列分のノズル孔３７を、図の縦方向には等しい列ピッチＱ（＝３1/2・Ｓ／２）で且つ１列置きに横方向にＳ／２だけずらして配置してある。このように配列すると一つの列上で隣り合う２つのノズル孔３７と、横方向位置がその中間で隣の列に属するノズル孔３７とのそれぞれの中心間距離もノズル取り付けピッチＳに等しくなり、その３個のノズル孔３７は一辺がＳの正三角の頂点に位置するようになる。
【００４４】
このような配列のノズル孔３７を設けた鋼板製の天井板３３に下方からマイクロ波を照射した場合、天井板３３を通過する前後におけるマイクロ波の減衰量Ａは近似的に次式で表わされることが知られている。
Ａ＝２０ｌｏｇ１０（１．５Ｓ・Ｑ・λ／（π・Ｂ3））＋３２ｔ／Ｂ    ［ｄｂ］
ここに、ｔは天井板３３の板厚、λはマイクロ波の波長である。
【００４５】
調理室１０の底板５０を通して照射されたマイクロ波の内、調理品３８に吸収されなかったマイクロ波は天井板３３に達する。マイクロ波がノズル孔３７を通って調理室１０の上方に漏れるのを防止するには、上式で計算される減衰量Ａが大きくなるようにＢ、Ｓ、ｔの値を決めておく必要がある。例えば、ノズル孔径Ｂを２０ｍｍ、ノズル取り付けピッチＳを４０ｍｍ、板厚ｔを０．５ｍｍ、波長λを１２０ｍｍ（周波数２４５０ＭＨｚに相当）とした場合には、減衰量Ａの値は２０ｄｂとなり１００分の１以下に減衰させることができる。この場合、ノズル孔径Ｂの２０ｍｍは波長λの１／６に相当し、ノズル取り付けピッチＳの４０ｍｍは波長λの２／６に相当している。
【００４６】
次に、調理品３８を載置する棚板４０の構成について説明する。棚板４０には図１１に示すように多数の穴４１設けられている。この穴４１は、天井板３３のノズル孔３７から噴射され調理品３８に衝突した後の循環熱風を棚板４０の下側に流すためのものである。また、底板５０を透過して照射されたマイクロ波を棚板４０に載置した調理品３８に吸収させる必要から、底板５０はマイクロ波が透過し易い誘電体材料で製作されている。
【００４７】
本実施形態の加熱調理器１は、噴流衝突熱伝達技術を応用して調理品３８を表面加熱している。この噴流衝突熱伝達ではノズル孔３７から噴射された熱風の持つ熱エネルギーを効率良く調理品３８に伝達させる必要があり、そのためにはノズル孔３７の配置及びノズル孔３７と調理品３８との距離を適切に設定しておく必要がある。
【００４８】
図１２は、１個のノズル孔３７から距離Ｈだけ離して置いた調理品３８に噴流を衝突させた場合における噴流の流れの態様を模式的に表わしたものである。流れの態様は場所により異なるが、おおよそ次の４つの領域に分けて考えることができる。第１の領域はノズル孔３７を離れた直後のポテンシャル領域３９と呼ばれる領域で、この領域では噴流の断面積はノズル孔３７の断面積とほぼ同じで流速もノズル孔３７内の流速にほぼ等しい。
【００４９】
第２の領域は第１の領域に続く自由噴流領域３９ａと呼ばれる領域で、この領域では噴流は次第に拡がって断面積が増大していき流速は逆に次第に遅くなる。第３の領域は噴流が調理品３８に衝突することによって形成される衝突噴流領域３９ｂで、噴流は調理品３８に当たって熱エネルギーを調理品３８に与え、流れの向きを調理品３８の表面に平行な方向に変える。ノズル孔３７の真下に当たる調理品３８の表面付近には流速の弱いよどみ点５９ができる。ノズル孔３７から調理品３８の表面までの距離をＨとすると、衝突噴流領域３９ｂはよどみ点５９を中心とする半径０．３５Ｈ、高さ０．２Ｈ〜０．３Ｈの円盤状をなす。
【００５０】
第４の領域は衝突噴流領域３９ｂの外側にできる壁噴流領域３９ｃと呼ばれる領域で、噴流は調理品３８の表面に平行に流れ流速はよどみ点５９から離れるに従って遅くなる。ノズル孔３７から噴射された噴流は、調理品３８の表面に衝突して流速の落ちた熱風を押し退けて次々と調理品３８の表面に接触する。こうして噴流の持つ熱エネルギーは調理品３８に効率良く伝達され、調理品３８は急速加熱される。
【００５１】
上述の説明はノズル孔３７が１個の場合であった。これに対して本実施形態のようにノズル孔３７が複数設けられている場合には、隣接するノズル孔３７から噴射された複数の噴流が干渉を起こすため流れの態様は変わってくる。図１３は、２つのノズル孔３７の中心間距離Ｓを広めに設定した場合における噴流の流れの態様を示したものである。調理品３８に衝突し熱エネルギーを与えて温度が低下した熱風の内、隣の噴流の方向に流れた熱風は相互干渉を起こして上昇する。そしてノズル孔３７から新たに噴出された高温の噴流と混ざってその温度を低下させる。
【００５２】
このような現象が生ずると加熱効率が低下するだけでなく、調理品への衝突強さに大きなむらが生じて均一加熱が困難となる。これを防ぐためには衝突後の熱風がノズル孔３７側に戻ることがないように中心間距離Ｓ、及びノズル孔３７から調理品３８の表面までの距離Ｈを適切な値に設定しておくことが重要となる。
【００５３】
図１４は、調理品３８が置かれていない状態で３個のノズル孔３７から熱風を噴出させた場合における噴流の流れの態様を模式的に示したものである。隣り合う噴流の間には相互干渉が生じ、噴流の主要部分における流速及び方向は図中の矢印で示すようになる。特徴的なのは２つのノズル孔３７の中間位置Ｏから下向きに引いたＹ線上における流速である。Ｙ線上における流速は中間位置Ｏからの距離によって大きく変化する。図中に示した集中領域５８における流速は、Ｙ線を中心とするかなり広い範囲において中間位置Ｏ向きの大きな値を示す。
【００５４】
Ｙ線上を中間位置Ｏから離れるに従って中間位置Ｏに向かう流速は弱まり、図中の融合点５８ａにおいて流速はほぼゼロとなる。この融合点５８ａでは各ノズル孔３７の真下部分に流速の速い部分が存在する。
【００５５】
Ｙ線上を中間位置Ｏから更に離れた図中の結合点５８ｂでは、融合点５８ａにおいて存在した隣り合う２つの流速の速い部分は一つに合体する。そしてＹ線を中心とする下向きの流速の速い流れとなる。それ以降、この結合点５８ｂより下側の結合領域５８ｄではＹ線を中心とする部分のみに下向きに流速の速い部分が存在し、中間位置Ｏに向かう流速部分は存在しない。
【００５６】
調理品３８に強い熱風を衝突させ、且つ衝突後の熱風を図１３に示すように天井板３３側に流さないようにするには、調理品３８を図１４における結合点５８ｂより下側の結合領域５８ｄに置けばよい。ノズル孔３７から結合点５８ｂまでの距離ｙｃｐは、次のような実験式で表わされることが知られている。
ｙｃｐ＝３．５１４Ｂ・（Ｓ／Ｂ）0.673
【００５７】
例えば、ノズル孔３７の直径Ｂを２０ｍｍ、２つのノズル孔３７の中心間距離Ｓを２０ｍｍとした場合には結合点５８ｂまでの距離ｙｃｐは１１０ｍｍとなる。本実施形態では、天井板３３と調理品３８の表面との間の距離が上式で計算される距離ｙｃｐとなるように棚板４０の取り付け位置を決めている。このようにすれば調理品３８に衝突した後に天井板３３方向に戻る熱風は少なくなり、加熱効率を高めることができる。
【００５８】
図１５は、加熱調理器１の制御装置２６の構成を概略的に示したものである。制御装置２６は、マイクロ波発生回路部６０、ヒータ回路部６１、これらの回路部とブロアモータ１６を制御する制御回路部６２とにより構成される。マイクロ波発生回路部６０はマグネトロン１３を使用して周波数２４５０ＭＨｚのマイクロ波を発生させ、同時にそのマイクロ波を反射攪拌させる回転アンテナ５３用のモータ５２を駆動させる回路部分である。電源は商用電源から供給され、その開閉はスイッチ６５を開閉して行なわれる。ヒータ回路部６１は６本のヒータ１２に電源を供給する回路部分で、商用電源をスイッチ６６で開閉することにより電源供給が制御される。
【００５９】
制御回路部６２は、制御回路６３、操作スイッチ６、表示器７、温度検出手段７０、異常検出手段７１、モータ駆動回路７２を備えて構成される。制御回路６３は加熱調理器１の動作全般を制御する回路でマイクロコンピュータを用いて構成され、スイッチ６５、６６の開閉、ブロアモータ１６の駆動はこの制御回路６３により行なわれる。操作スイッチ６は調理時間、熱風温度、調理品名等を入力するためのものであり、表示器７は入力された情報、調理状況等を表示するためのものである。温度検出手段７０は熱風吸い込み口右４２または熱風吸い込み口左４３付近の循環熱風の温度をサーミスタを用いて検出するためのもの、異常検出手段７１は異常状態を検出ためのもので熱源ボックス１４内に取り付けられている。なお、図中のスイッチ６７、６８は扉３の開閉に連動して動作する扉開閉連動スイッチである。
【００６０】
次に、このような構成の下での加熱調理器１の動作と作用について説明する。調理品３８は調理室１０内の棚板４０の上に置かれた後、扉３が閉じられる。すると、扉開閉連動スイッチであるスイッチ６７、６８がＯＮ状態となる。制御回路６３は商用電源の供給を受けて動作を開始する。続いて、操作者により調理時間、熱風温度（調理温度）、調理品名等が操作スイッチ６を介して制御回路６３に入力される。
【００６１】
操作者により操作スイッチ６を用いて調理開始の指示が与えられると、制御回路６３はスイッチ６５をＯＮ状態としてマイクロ波発生回路部６０を動作させる。これによりマグネトロン１３によりマイクロ波の発生が開始される。同時にモータ５２にも電力が供給されて回転アンテナ５３が回転を始め、発生したマイクロ波は回転アンテナ５３により反射攪拌され底板５０を透過して調理室１０を広くむらなく照射される。
【００６２】
制御回路６３は同時にスイッチ６６をＯＮ状態としてヒータ１２に電源供給を行なうと共に、ブロアモータ１６にもモータ駆動回路７２を介して電源を供給して循環風を起こさせる。制御回路６３はスイッチ６６のＯＮ／ＯＦＦ周期を調整して温度検出手段７０にて検出した温度が操作スイッチ６から入力された設定温度に一致するように制御する。ブロアモータ１６は印加電圧により回転速度を可変できる直流モータで構成されており、制御回路６３は操作スイッチ６から入力された調理品名に対応した回転速度に調整する。
【００６３】
ヒータ１２の温度が上昇するとブロア１５により起こされた循環風は循環熱風に変る。循環熱風は前述したように調理室１０の天井板３３に設けられたノズル孔３７から噴流となって調理室１０内に噴射され、調理品３８の表面に衝突して調理品３８を表面から加熱する。調理品３８に衝突した循環熱風は棚板４０の下側に流れ込み、左右の熱風吸い込み口４２、４３に吸い込まれて左右の帰還ダクト２０、２１を通った後、熱風帰還合流ダクト２２にて合流する。合流後は再びブロア１５に入って加速され熱源ボックス１４に吹き込まれる。そしてヒータ１２より熱補給を受けて高温となり、調理室１０内に再び噴射される。このように高温の熱風が循環しながら調理品３８表面に衝突することにより、調理品３８は表面から急速加熱される。この循環熱風による加熱と並行して調理室１０の底板５０通してマイクロ波が照射される。調理品３８はそれを吸収して内部からも急速加熱される。
【００６４】
図１６は、冷凍された調理品３８を本実施形態の加熱調理器１で調理した場合における調理品３８の表面と内部の温度変化を測定した例である。解凍終了後は調理品３８の表面と内部の温度が共に急速上昇を開始しており、調理品３８は表面と内部の両方から加熱されていることが分かる。左右の熱風吸い込み口４２、４３付近の熱風温度は次第に上昇していき、設定温度に到達した後はヒータ１２のＯＮ／ＯＦＦ周期の調整により設定温度に維持される。このような加熱状態が継続し、設定された調理時間が経過するとマイクロ波発生回路部６０、ヒータ回路部６１、ブロアモータ１６への電源供給が絶たれて加熱が終了する。
【００６５】
以上のように構成され動作する本実施形態の加熱調理器１は次のような作用、効果を奏する。
（１）高温の熱風を高速噴流にして調理品３８に衝突させる「衝突噴流熱伝達技術」を利用して加熱しているため、高い熱伝達率で急速加熱することができる。
（２）調理室１０の底板５０を通してマイクロ波を調理品３８に照射し、調理品３８を内部からも加熱するマイクロ波加熱を併用している。このため調理品３８を一層急速に加熱することができる。
（３）循環熱風は調理室１０の天井板３３に設けたノズル孔３７から噴射して棚板４０より下の側壁下部に設けた左右の熱風吸い込み口４２、４３から吸引する構造としている。このため、底板５０にはノズル孔、吸引口等の構成部品は何ら設けられていない。従って、調理室１０内の清掃を容易に行なうことができる。
（４）調理品３８を棚板４０の上に載置し、棚板４０には穴４１を設けて高温の循環熱風が棚板４０の下側に流れるようにしている。このため棚板４０が加熱されて調理品３８は下面からも熱を受けて一層急速に加熱される。
（５）左右の熱風吸い込み口４２、４３から吸引された循環熱風をブロア１５に帰還させるための左右の熱風帰還ダクト２０、２１の一面に調理室１０の側壁を共用で利用している。これにより調理室１０からの熱のリークが防止される。同時に帰還する循環熱風の持つ熱エネルギーが調理室１０の側壁を加熱するため、調理室１０内の温度を効率良く上げることができる。
（６）熱源ボックス１４内に取り付けたヒータ１２の配置は、風の方向に見たとき隣り合うヒータ１２の放熱フィン５５の外周が重なって見える角度に各ヒータを傾けて配置している。このため放熱フィン５５と熱交換を行なわないで通過する熱風の量は極小化される。また、風の流れに対する抵抗もさほど大きくならないため循環熱風とヒータ１２との熱交換をより効率的に行なわせることができる。
（７）熱源ボックス１４内に取り付けた複数のヒータ１２は、循環熱風の下流側に位置するヒータほど発熱量が少なくなるようにしている。これによりヒータ表面温度は均一化され、より温度の高い循環熱風と接触する下流部のヒータの過熱が防止される。
（８）熱源ボックス１４内にはヒータ１２を取り付けた部分の下側に循環熱風の流れをヒータ１２の並び方向に規制する仕切り板３０を取り付けている。このため、熱源ボックス１４に吹き込まれた循環風は全てのヒータ１２と熱交換を行ないながら熱風ボックス１４を通過するため熱交換の効率が向上する。
（９）天井板３３に設けた複数のノズル孔３７と調理品３８表面との距離を、隣接するノズル孔３７から噴出された噴流がほぼ結合する距離としてある。これにより調理品３８に衝突して熱エネルギーを減少させた熱風の内、ノズル孔３７方向に戻りノズル孔３７から新たに噴出された熱風と混ざってその温度を低下させる熱風の量が少なくなる。従って、熱風から調理品３８への熱伝達率が全体として高まる効果を奏する。
（１０）循環熱風を発生させるブロア１５のモータ５２の回転数は、制御回路６３の出力信号でもって制御できるようにしてある。このため調理品の種類、形状に応じた最適な加熱を行なうことができる。
（１１）循環熱風の温度を検出する温度検出手段７０は、調理室１０の左右の側壁下部に設けた熱風吸い込み口４２、４３付近に取り付けてある。熱風吸い込み口４２、４３付近はヒータ１２の輻射熱の影響が少ないので熱風温度を正確に検出できる。
（１２）加熱源であるヒータ１２とマイクロ波発生装置２４の加熱出力は、独立して制御できるようにしてある。このように独立して制御できれば、調理品の種類に応じた最適な加熱を行なうことができる。また、マイクロ波のみによる加熱、ヒータのみによる加熱も行なうことができるので調理の幅が広がる。
（１３）調理室の天井板に設けた複数のノズル孔は、孔形状を直径がマイクロ波波長の１／６の円に納まる円形又は多角形とし、それらを中心間距離をマイクロ波の波長の２／６以上として配列してある。このような構成はノズル孔３７を通って天井板３３の上方に漏れるマイクロ波を大幅に減衰させる効果を奏する。
（１４）棚板４０を金属材料で構成する場合には、棚板４０には直径がマイクロ波の波長の１／１．７以上である円形の穴、又は長手方向の寸法がマイクロ波の波長の１／２を超える矩形の穴を複数個設けるようにしている。穴の形状と寸法がこのようにされていれば棚板が金属材料であっても、マイクロ波は棚板４０の下面側から上面側に抜けることができる。従って、棚板に載置した調理品を内部からも加熱することができる。
【００６６】
（変形実施形態）
上述した実施形態の加熱調理器１は次のように変形して実施してもよい。
（１）前記加熱調理器１では、高速の熱風を被加熱物に衝突させて熱伝達を行なう噴流衝突熱伝達技術を応用した熱風加熱とマイクロ波加熱とを併用したが、何れか一方の加熱方式のみで加熱するようにしてもよい。例えば、マイクロ波加熱に必要な構成部品を取り除いて熱風加熱のみを行なう構成としてもよい。
（２）前記加熱調理器１では調理室１０の天井板３３に設けるノズル孔３７は断面円形として図１０のように配列したが、ノズル孔３７の断面形状は矩形としてもよい。矩形とした場合、衝突後の噴流は図１７の（１）、（２）に示すような方向に流れる。また、ノズル孔３７の配列は図１８に示すようにしてもよい。図１８の（１）は正方形枡目の交点に断面円形のノズル孔３７を配列した例、図１８の（２）は断面円形のノズル孔３７を等間隔で一列に配列した例、図１８の（３）は断面矩形のノズル孔３７を等間隔で一列に配列した例、図１８の（４）は断面矩形のノズル孔３７を２列で千鳥状に配列した例である。
また、ノズル孔３７は１個のみとしてもよい。ノズル孔３７を１個として大きな調理品を加熱する場合にはノズル孔３７の径は大きくする。この場合、ノズル孔３７の位置を時間的に移動させるようにしてもよい。
（３）前記加熱調理器１では左右側壁の外側に設けた熱風帰還ダクト２０、２１を通った循環熱風は、熱風帰還合流ダクト２２で合流させた後、１個のブロア１５にて熱源ボックス１４に吹き込むようにした。このようにする代わりに左右の熱風帰還ダクト２０、２１から出た循環熱風をそれぞれ独立したブロアを用いて熱源ボックス１４に吹き込むように構成してもよい。このようにすれば循環熱風の帰還経路を短くすることができ、帰還経路での熱損失を少なくすることができる。
（４）前記加熱調理器１では熱風吸い込み口を調理室１０の左右側壁の下部に設けたが、更に背面側の側壁に追加して設けてもよい。この場合には背面側の側壁の裏側にも熱風帰還ダクトを設け、吸い込んだ循環熱風を熱風帰還合流ダクト２２に合流させる。
（５）前記加熱調理器１における調理室１０内に取り付けた棚板４０はマイクロ波が透過しすい誘電体製としたが、アルミ材などの金属材料で製作してもよい。この場合、金属材料はマイクロ波を通さないので、棚板４０に設ける穴４１はマイクロ波が通過できる寸法とする。図１９はそのような穴の形状と配置の例である。矩形の穴４１の長手方向の長さＬはマイクロ波の波長の１／２以上とする。また、穴４１の形状を円形とする場合には、その径はマイクロ波の波長の１／１．７以上とする。このような形状にしておけば、マイクロ波はその穴４１を通過して調理品３８に到達することができる。
棚板４０を金属材料で製作した場合には、マイクロ波が穴４１を通過することにより穴４１の周りに誘導電流が流れて穴４１の回りが加熱される。従って、棚板４０は熱風による加熱に加えてマイクロ波による加熱も受けて温度が高くなる効果を奏する。
（６）前記加熱調理器１では、調理室１０の左右側壁の下部に熱風吸い込み口４２、４３を設けたが、図２０に示すようにこの熱風吸い込み口４２、４３にその口を開閉するシャッタ７２、７３を設けてもよい。シャッタ７２、７３はモータなどで開閉駆動できるように構成し、制御回路６３の出力信号で個別に開閉動作できるようにする。図２０の（１）は、熱風吸い込み口右４２のシャッタ７２を閉じ、熱風吸い込み口左４３のシャッタ７３を開いた状態における循環熱風の流れを矢印で示している。図２０の（２）はシャッタ７２、７３の開閉状態を反対にした場合の流れを示している。加熱調理中にこのようにシャッタ７２、７３を所定周期で交互に自動開閉すれば、調理品３８の下面の焼き上げ温度を高くすることができる。
【図面の簡単な説明】
【００６７】
【図１】本発明の一実施形態に係る加熱調理器１の外観斜視図である。
【図２】キャビネット２と扉３を取り外して加熱調理器１を背面斜め上方から内部を見た斜視図である。
【図３】キャビネット２と扉３を取り外して加熱調理器１を前方斜め下から見た斜視図である。
【図４】加熱調理器１内の正面から見た断面内の熱風の流れを説明する模式図である。
【図５】加熱調理器１内の右側壁から見た断面内の熱風の流れを説明する模式図である。
【図６】熱源ボックス１４を下側から見た斜視図である。
【図７】熱源ボックス１４の外板の一部を取り外してヒータ１２の配置状況が分かるようにした加熱調理器１の斜視図である。
【図８】Ｕ字形状のヒータ１２の外形図である。
【図９】ヒータ１２の取り付けの状況を説明する縦断面図である。
【図１０】天井板３３に設けたノズル孔３７の形状及び配列の一例である。
【図１１】棚板４０の斜視図である。
【図１２】１個のノズル孔３７からの噴流の流れの態様の模式図である。
【図１３】２つのノズル孔３７の中心間距離Ｓを広めに設定した場合における噴流の流れの態様の模式図である。
【図１４】調理品を置かない状態で複数のノズル孔３７から熱風を噴出させた場合における噴流の流れの態様の模式図である。
【図１５】制御装置２６の回路構成図である。
【図１６】冷凍調理品を加熱調理器１で調理した場合の調理品の表面と内部の温度変化を測定した例である。
【図１７】ノズル孔３７の断面形状を矩形とした場合における噴流の流れの態様の模式図である。
【図１８】ノズル孔３７の断面形状と配列の他の実施形態である。
【図１９】棚板４０を金属材料で製作する場合における棚板４０に設ける穴４１の形状と配置の例である。
【図２０】熱風吸い込み口４２、４３にシャッタ７２、７３を設けて交互に開閉した場合における熱風の流れを説明する図である。
【符号の説明】
【００６８】
図面中、１は加熱調理器、１０は調理室、１２はヒータ（ヒータ式熱源）、１５はブロア、１８は熱風生成装置、２０は熱風帰還ダクト右、２１は熱風帰還ダクト左、３３は天井板、３７はノズル孔、３８は調理品、４０は棚板、４１は穴、４２は熱風吸い込み口右、４３は熱風吸い込み口左、５０は底板、５１は仕切り板、５５は放熱フィン、７２、７３はシャッタを示す。
【図１】
2007064530.tif 000003
【図２】
2007064530.tif 000004
【図３】
2007064530.tif 000005
【図４】
2007064530.tif 000006
【図５】
2007064530.tif 000007
【図６】
2007064530.tif 000008
【図７】
2007064530.tif 000009
【図８】
2007064530.tif 000010
【図９】
2007064530.tif 000011
【図１０】
2007064530.tif 000012
【図１１】
2007064530.tif 000013
【図１２】
2007064530.tif 000014
【図１３】
2007064530.tif 000015
【図１４】
2007064530.tif 000016
【図１５】
2007064530.tif 000017
【図１６】
2007064530.tif 000018
【図１７】
2007064530.tif 000019
【図１８】
2007064530.tif 000020
【図１９】
2007064530.tif 000021
【図２０】
2007064530.tif 000022